【事件の表示】
　特願２００１−１９７１２５「光路変換体の実装構造並びに光モジュール」拒絶査定不服審判事件〔平成１５年　１月１５日出願公開、特開２００３−　１４９８７〕について、次のとおり審決する。
【結　論】
　本件審判の請求は、成り立たない。
【理　由】
第１　手続の経緯 
　本願は、平成１３年６月２８日の特許出願であって、最初の拒絶理由の通知に応答して平成２１年１１月６日に手続補正がされ、最後の拒絶理由の通知に応答して平成２３年１月１３日に手続補正がされたが、同日の手続補正が同年１０月２４日付けで却下されるとともに、同日付で拒絶査定がされ、これに対して平成２４年２月７日に拒絶査定不服審判が請求されるとともに、これと同時に手続補正がされたものである。
 　 
第２　平成２４年２月７日の手続補正についての補正却下の決定
［補正却下の決定の結論］
　平成２４年２月７日の手続補正（以下「本件補正」という。）を却下する。
　
［理由］
１　本件補正による請求項１についての補正について
　本件補正による請求項１についての補正（以下「請求項１の補正」という。）は次のとおりのものである。
　本件補正前に
「凹部が設けられた主面を有する基板と、
　前記凹部の底面上に設けられ、面発光及び／または受光を行わせる光半導体素子と、
　透光性を有し柱状を成す本体の側面に、前記本体の外側からの光を入射させる光入射面と、該光入射面から入射した光を前記本体の内側で反射させる傾斜面と、該傾斜面で反射した光を前記本体の外側へ出射させるための光出射面とを形成するとともに、前記光入射面及び前記光出射面のそれぞれに集光用のレンズ部を形成し、前記光半導体素子および前記凹部を覆うように前記基板の前記主面上に実装し、前記光半導体素子と光接続する光路変換体と、
　を具備する光路変換体の実装構造。」（平成２１年１１月６日の手続補正書参照。）
とあったものを、
　本件補正後に
「凹部が設けられた主面を有する基板と、
　前記凹部の底面上に設けられ、面発光及び／または受光を行わせる光半導体素子と、
　透光性を有し柱状を成す本体の側面に、前記本体の外側からの光を入射させる光入射面と、該光入射面から入射した光を前記本体の内側で反射させる傾斜面と、該傾斜面で反射した光を前記本体の外側へ出射させるための光出射面とを形成するとともに、前記光入射面及び前記光出射面のそれぞれに集光用のレンズ部を形成し、前記光半導体素子および前記凹部を覆うように
前記光入射面を対向させて
　
前記柱状を成す本体は、該本体内を通る光の光路に沿って切断したときに、前記光入射面を成す辺が、前記光出射面を成す辺よりも長い
とする。 
 　 
　請求項１の補正は、発明を特定するために必要な事項である「光路変換体」について、その「光入射面」が「光半導体素子および凹部を覆うように対向」する点及びその「柱状を成す本体」が「本体内を通る光の光路に沿って切断したときに、前記光入射面を成す辺が、前記光出射面を成す辺よりも長い」点を限定する補正事項からなる。
　したがって、請求項１の補正は、平成１８年法律第５５号改正附則第３条第１項によりなお従前の例によるとされる同法による改正前の特許法第１７条の２第４項第２号に掲げる特許請求の範囲の減縮を目的としたものに該当する。
　そこで、本件補正後の請求項１に係る発明が、特許出願の際に独立して特許を受けることができるものであるかどうか（平成１８年法律第５５号改正附則第３条第１項によりなお従前の例によるとされる同法による改正前の特許法第１７条の２第５項において準用する同法第１２６条第５項に規定する要件を満たすか否か）を以下に検討する。
　
２　独立特許要件について 
（１）　本願補正発明の認定 
　本件補正後の請求項１に係る発明（以下「本願補正発明」という。） は、本件補正後の請求項１に記載された事項によって特定されるとおりのものと認める。 
　 　 
（２）　引用例の記載事項
　原査定の拒絶の理由に引用された、本願出願前に頒布された特開平９−１２７３７５号公報（以下「引用例」という。）には、以下のアないしエの記載がある。 
ア　「【特許請求の範囲】
【請求項１】  光ファイバアレイフェルールを備える光結合モジュールであって、該光ファイバアレイフェルールは、
互いに平行な第１下面及び第１上面を有し、且つ少なくとも該第１上面には互いに平行な複数のＶ溝からなる第１のＶ溝群が形成されている、第１の支持体と、
互いに平行な第２下面及び第２上面を有し、且つ該第２下面には互いに平行な複数のＶ溝からなる第２のＶ溝群が形成され、該第２上面には互いに平行な複数のＶ溝からなる第３のＶ溝群が形成されている、該第１の支持体の上方に配置された第２の支持体と、
互いに平行な第３下面及び第３上面を有し、且つ少なくとも該第３下面には互いに平行な複数のＶ溝からなる第４のＶ溝群が形成されている、該第２の支持体の上方に配置されている第３の支持体と、
該第１及び第３のＶ溝群の各Ｖ溝にそれぞれ配置された複数の光ファイバの芯線と、を備え、
該第１〜第４のＶ溝群の各Ｖ溝の間のピッチがお互いに等しく、
該第２のＶ溝群の各Ｖ溝は該第１のＶ溝群の各Ｖ溝に配置された該光ファイバの芯線に相対して接しており、
且つ、該第４のＶ溝群の各Ｖ溝は該第３のＶ溝群の各Ｖ溝に配置された該光ファイバの芯線に相対して接している、光結合モジュール。
（【請求項２】ないし【請求項５】は省略。）
【請求項６】  基板と、
該基板の上に配置されている、複数の面発光レーザが２次元アレイ状に形成されている面発光レーザアレイと、をさらに備え、
前記光ファイバアレイフェルールは、該複数の面発光レーザから出射されるレーザ光が前記光ファイバの芯線に光学的に結合するように該基板の上に配置されている、請求項１から５のいずれかに記載の光結合モジュール。
（【請求項７】は省略。）
【請求項８】  前記光ファイバアレイフェルールの前記光ファイバの芯線が前記基板と平行になるように、該光ファイバアレイフェルールが該基板の上に配置されている、請求項６または７に記載の光結合モジュール。
（【請求項９】は省略。）
【請求項１０】  ４５度ミラーとレンズとを含むプリズムをさらに備え、前記面発光レーザアレイが前記基板の上に該基板に対して平行に配置されている、請求項８に記載の光結合モジュール。」　
　
イ　「【００８０】次に、プリズム５２０について図５を参照して説明する。
【００８１】プリズム５２０は、４５度ミラー５２１とレンズ５２２とを含んでいる。４５度ミラー５２１は、具体的にはアルミなどの金属が蒸着された面であって、基板５１０に対して垂直に出射された面発光レーザアレイ１２０からのレーザ光１６０を反射して、基板５１０に対して平行に配置された光ファイバアレイフェルール６１０の光ファイバの芯線１１４に結合させる。レンズ５２２は、ある程度の拡がり角を持ったレーザ光１６０を、光ファイバの芯線１１４のコアに効率よく結合させる。レンズ５２２を含むプリズム５２０は、金型を使用した一体成形など、当該技術で公知の方法によって製造することができる。」
　
ウ　「【００８８】（第３の実施形態）図１０は、本発明の第３の実施形態による光結合モジュール１０００の構成を模式的に示す側面図である。これまでに説明した構成においてと同じ構成要素には同じ参照番号を付しており、ここではその説明を省略する。
【００８９】光結合モジュール１０００は、基板１０１０の上に取り付けられた光ファイバアレイフェルール１１１０と、基板１０１０に平行に取り付けられた面発光レーザアレイ１２０と、面発光レーザアレイ１２０から出力されるレーザ光１６０を光ファイバアレイフェルール１１１０の２次元光ファイバアレイに導くプリズム５２０と、を有している。基板１０１０には穴１０２０が設けられており、その穴１０２０の中に面発光レーザ１２０を設置している。また、プリズム５２０は、穴１０２０を覆い隠すように基板１０１０の上に固着されている。」　
　
エ　上記ウの記載を踏まえて図１０を見ると、プリズム５２０が、光ファイバ芯線１１４に対向する面及び面発光レーザアレイ１２０に対向する面のそれぞれにレンズを備えること、及び面発光レーザアレイ１２０が、穴１０２０の底面上に配置されていることが把握できる。
　　
（３）　引用発明の認定
ア　上記「（２）　ア」の記載における、請求項１を引用する請求項６を引用する請求項８を引用する請求項１０を、先行する請求項を引用しない独立の形式で記載すれば次のとおりである。
「光ファイバアレイフェルールを備える光結合モジュールであって、該光ファイバアレイフェルールは、互いに平行な第１下面及び第１上面を有し、且つ少なくとも該第１上面には互いに平行な複数のＶ溝からなる第１のＶ溝群が形成されている、第１の支持体と、互いに平行な第２下面及び第２上面を有し、且つ該第２下面には互いに平行な複数のＶ溝からなる第２のＶ溝群が形成され、該第２上面には互いに平行な複数のＶ溝からなる第３のＶ溝群が形成されている、該第１の支持体の上方に配置された第２の支持体と、互いに平行な第３下面及び第３上面を有し、且つ少なくとも該第３下面には互いに平行な複数のＶ溝からなる第４のＶ溝群が形成されている、該第２の支持体の上方に配置されている第３の支持体と、該第１及び第３のＶ溝群の各Ｖ溝にそれぞれ配置された複数の光ファイバの芯線と、を備え、
該第１〜第４のＶ溝群の各Ｖ溝の間のピッチがお互いに等しく、
該第２のＶ溝群の各Ｖ溝は該第１のＶ溝群の各Ｖ溝に配置された該光ファイバの芯線に相対して接しており、
且つ、該第４のＶ溝群の各Ｖ溝は該第３のＶ溝群の各Ｖ溝に配置された該光ファイバの芯線に相対して接しており、
基板と、
該基板の上に配置されている、複数の面発光レーザが２次元アレイ状に形成されている面発光レーザアレイと、をさらに備え、
前記光ファイバアレイフェルールは、該複数の面発光レーザから出射されるレーザ光が前記光ファイバの芯線に光学的に結合するように該基板の上に配置されており、
前記光ファイバアレイフェルールの前記光ファイバの芯線が前記基板と平行になるように、該光ファイバアレイフェルールが該基板の上に配置されており、
４５度ミラーとレンズとを含むプリズムをさらに備え、前記面発光レーザアレイが前記基板の上に該基板に対して平行に配置されている、
光結合モジュール。」
　
イ　上記アの光結合モジュールは、上記「（２）　イ」の記載が参照する図５に示された光結合モジュールに対応するものと認められる。
　しかるところ、上記「（２）　ウ」の記載によれば、図１０に示された光結合モジュールは、図５に示された光結合モジュールにおいて、基板に穴を設け、その穴の中に面発光レーザを設置し、プリズムが、穴を覆い隠すように基板の上に固着したものである。
　
ウ　上記ア、イ及び上記（２）によれば、上記「（２）　ア」ないし「（２）　エ」の記載を含む引用例には、次の発明（以下「引用発明」という。） が記載されていると認めることができる。 
「光ファイバアレイフェルールを備える光結合モジュールであって、該光ファイバアレイフェルールは、互いに平行な第１下面及び第１上面を有し、且つ少なくとも該第１上面には互いに平行な複数のＶ溝からなる第１のＶ溝群が形成されている、第１の支持体と、互いに平行な第２下面及び第２上面を有し、且つ該第２下面には互いに平行な複数のＶ溝からなる第２のＶ溝群が形成され、該第２上面には互いに平行な複数のＶ溝からなる第３のＶ溝群が形成されている、該第１の支持体の上方に配置された第２の支持体と、互いに平行な第３下面及び第３上面を有し、且つ少なくとも該第３下面には互いに平行な複数のＶ溝からなる第４のＶ溝群が形成されている、該第２の支持体の上方に配置されている第３の支持体と、該第１及び第３のＶ溝群の各Ｖ溝にそれぞれ配置された複数の光ファイバの芯線と、を備え、該第１〜第４のＶ溝群の各Ｖ溝の間のピッチがお互いに等しく、該第２のＶ溝群の各Ｖ溝は該第１のＶ溝群の各Ｖ溝に配置された該光ファイバの芯線に相対して接しており、且つ、該第４のＶ溝群の各Ｖ溝は該第３のＶ溝群の各Ｖ溝に配置された該光ファイバの芯線に相対して接しており、
基板と、
該基板の上面に設けた穴の底面に配置されている、複数の面発光レーザが２次元アレイ状に形成されている面発光レーザアレイと、をさらに備え、
前記光ファイバアレイフェルールは、該複数の面発光レーザから出射されるレーザ光が前記光ファイバの芯線に光学的に結合するように該基板の上に配置されており、
前記光ファイバアレイフェルールの前記光ファイバの芯線が前記基板と平行になるように、該光ファイバアレイフェルールが該基板の上に配置されており、
４５度ミラーとレンズとを含むプリズムをさらに備え、
前記４５度ミラーは、前記基板に対して垂直に出射された前記面発光レーザアレイからのレーザ光を反射して、前記基板に対して平行に配置された前記光ファイバアレイフェルールの光ファイバの芯線に結合させる、アルミなどの金属が蒸着された面であり、
前記レンズは、前記光ファイバの芯線に対向する面及び前記面発光レーザアレイに対向する面のそれぞれに設けられ、ある程度の拡がり角を持ったレーザ光を、前記光ファイバの芯線のコアに効率よく結合させるものであり、
前記面発光レーザアレイが前記基板の前記穴の底面に該基板に対して平行に配置されており、
前記プリズムが、前記穴を覆い隠すように前記基板の上に固着されている、光結合モジュール。」
　　　
（４）対比 
　引用発明と本願補正発明とを対比する。
ア　引用発明の「穴」は、本願補正発明の「凹部」に相当し、同様に、
　「基板の上面」は、「主面」に、
　「基板」は、「基板」に、
　「基板の上面に設けた穴の底面に配置されている、複数の面発光レーザが２次元アレイ状に形成されている面発光レーザアレイ」は、「凹部の底面上に設けられ、面発光及び／または受光を行わせる光半導体素子」に、
　「プリズム」は、「光路変換体」に、
　「面発光レーザアレイに対向する面」は、「本体の外側からの光を入射させる光入射面」に、
　「『基板に対して垂直に出射された面発光レーザアレイからのレーザ光を反射して、前記基板に対して平行に配置された光ファイバアレイフェルールの光ファイバの芯線に結合させる、アルミなどの金属が蒸着された面であ』る『４５度ミラー』」は、「光入射面から入射した光を本体の内側で反射させる傾斜面」に、
　「光ファイバの芯線に対向する面」は、「傾斜面で反射した光を本体の外側へ出射させるための光出射面」に、
　「『光ファイバの芯線に対向する面及び面発光レーザアレイに対向する面のそれぞれに設けられ、ある程度の拡がり角を持ったレーザ光を、光ファイバの芯線のコアに効率よく結合させ』る『レンズ』」は、「『光入射面及び光出射面のそれぞれに』『形成し』た『集光用のレンズ部』」に、
　「光結合モジュール」は、「光路変換体の実装構造」に、それぞれ、相当する。
　
イ　引用発明の「プリズム」の「レンズ」及び「４５度ミラー」が設けられた面は、本願補正発明の「光路変換体」の「透光性を有し柱状を成す本体の側面」に相当する。
　
ウ　引用発明において、「プリズム」が、「穴を覆い隠すように基板の上に固着されている」構成は、本願補正発明において、「光路変換体」が、「光半導体素子および凹部を覆うように光入射面を対向させて基板の主面上に実装し、光半導体素子と光接続する」構成に相当する。
　
　上記アないしウによれば、本願補正発明と引用発明とは、以下の＜一致点＞で一致し、以下の＜相違点＞で相違する。
＜一致点＞ 
「凹部が設けられた主面を有する基板と、
　前記凹部の底面上に設けられ、面発光及び／または受光を行わせる光半導体素子と、
　透光性を有し柱状を成す本体の側面に、前記本体の外側からの光を入射させる光入射面と、該光入射面から入射した光を前記本体の内側で反射させる傾斜面と、該傾斜面で反射した光を前記本体の外側へ出射させるための光出射面とを形成するとともに、前記光入射面及び前記光出射面のそれぞれに集光用のレンズ部を形成し、前記光半導体素子および前記凹部を覆うように前記光入射面を対向させて前記基板の前記主面上に実装し、前記光半導体素子と光接続する光路変換体と、を具備している、
　光路変換体の実装構造。」
　
＜相違点＞ 
　本願補正発明の「光路変換体」は、「柱状を成す本体は、該本体内を通る光の光路に沿って切断したときに、光入射面を成す辺が、光出射面を成す辺よりも長い」のに対して、引用発明の「光路変換体」（プリズム）は、プリズム本体内を通る光の光路に沿って切断したときに、光入射面を成す辺が、光出射面を成す辺より長いか否か不明である点。
　
（５）判断 
　＜相違点＞について検討する。
　引用発明において、プリズムの形状は設計事項の範囲内で適宜定め得るところ、光入射面から入射した光を反射面で反射し、光出射面から出射させるプリズムであって、プリズム内を通る光の光路に沿って切断したときに、光入射面を成す辺と光出射面を成す辺のうち、一方の辺が他方の辺よりも長いものは、本願出願時点で周知であるから、引用発明のプリズムの形状を、「面発光レーザアレイに対向する面」を成す辺が「光ファイバの芯線に対向する面」を成す辺よりも長いものとすることに、格別の困難性は認められない。
　上記周知のプリズム形状については、例えば、特開平９−２８１３０２号公報、特開平８−２１９３０号公報及び実願昭６０−１４４４９６号（実開昭６２−５３４０９号公報）のマイクロフィルムの以下のアないしウの各記載を参照されたい。
ア　特開平９−２８１３０２号公報の記載
「【００２０】図５に、この反射面付き平板マイクロレンズを実装した光接続装置を示す。光接続装置は、１次元に配列された複数本の光ファイバ２００と、反射面付き平板マイクロレンズ１０４と、ホトダイオード３００およびプリアンプ３０１とが設けられた１つの基板４００とから構成されている。ホトダイオード３００およびプリアンプ３０１は、マイクロレンズ１０１の個数に相当する個数だけ１次元に配列されている。
【００２１】反射面付き平板マイクロレンズ１０４は、マイクロレンズ１０１を光ファイバ２００側に向けて配置されている。ホトダイオード３００の受光面は、平板マイクロレンズの面５０２から出射した光が集束する位置に設けられている。また、ホトダイオード３００は、ボンディングワイヤ４０８によりプリアンプ３０１に接続されている。
【００２２】このような構造の光接続装置において、光ファイバ２００から出射した光Ｌは、マイクロレンズ１０１を通って集光され、裏面に設けられた反射面５０１で全反射して角度を曲げられ、平板マイクロレンズ１０４の面５０２から出射し、基板４００上に設けられたホトダイオード３００の受光面に入射する。・・・」
及び上記記載が参照する図５。
　
イ　特開平８−２１９３０号公報の記載
「【００１３】図３は本発明の一部の他の実施例であり、光の向きを変えて、該光をファイバ１０を介してケーシング内のオプトエレクトロニック回路網に進ませるためのものである。前図に示されるように、向きを変えられた前記光エネルギーは、ケーシング１４の上面（すなわち蓋体）１８に備えられた窓１６を通過する。この代替装置は、適当な光学的エポキシにより（アクリル性外被が端部３２からはがされた後の）クラッドに固着されるプリズム素子４２からなる。プリズム素子４２は、ファイバ１０の光軸に対して傾斜した反射性の平らな面４４を含む。」
及び上記記載が参照する図３。　
　
ウ　実願昭６０−１４４４９６号（実開昭６２−５３４０９号公報）のマイクロフィルムの記載
「ハウジング６の側面にはコネクタ５が突設され、これに光ファイバ７が接続される。また、ハウジング６の内部には、直角プリズム８が収納される。このプリズム８は、入射面９と出射面及びこれらと４５度の角度を有する反射面１１を有する。上記のプリズム８は、ハウジング６の材料をそれより反射率の低い材料で構成することにより、反射面１１で全反射させるか、または反射面１１に金属を蒸着することにより反射率を高くして直角に反射させる。光素子１は、モールド４部分をハウジング６の下面に取付けることにより、プリズム８の一つの面と対面する。光素子１が受光素子である場合は、入射面９がコネクタ側に向けられ、出射面１０が光素子１側に向けられ、発光素子である場合はこの逆になる。」（３頁１２行〜４頁７行）
及び第２図。
　
　よって、引用発明において、本願補正発明の＜相違点＞に係る構成を備えることは、当業者が、設計上適宜なし得たことである。
　また、かかる構成を採用することによる効果は、当業者が予測し得る程度のものである。
　したがって、本願補正発明は、当業者が、引用発明に基づいて、容易に発明をすることができたものであるから、特許法第２９条第２項の規定により、特許出願の際独立して特許を受けることができないものである。
　
３　本件補正についてのむすび 
　上記「２　独立特許要件について」において検討したとおり、本願補正発明は、特許出願の際独立して特許を受けることができないものである。
　よって、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。 
　
第３　本願発明について 
１　本願発明の認定 
　上記のとおり、本件補正は却下されたので、本願の請求項１に係る発明（以下「本願発明」という。）は、平成２１年１１月６日に補正された本願の請求項１に記載された事項によって特定される次のとおりのものと認める。
「凹部が設けられた主面を有する基板と、
　前記凹部の底面上に設けられ、面発光及び／または受光を行わせる光半導体素子と、
　透光性を有し柱状を成す本体の側面に、前記本体の外側からの光を入射させる光入射面と、該光入射面から入射した光を前記本体の内側で反射させる傾斜面と、該傾斜面で反射した光を前記本体の外側へ出射させるための光出射面とを形成するとともに、前記光入射面及び前記光出射面のそれぞれに集光用のレンズ部を形成し、前記光半導体素子および前記凹部を覆うように前記基板の前記主面上に実装し、前記光半導体素子と光接続する光路変換体と、
　を具備する光路変換体の実装構造。」
　
２　引用例の記載事項及び引用発明の認定
　原査定の拒絶の理由に引用された引用例及びその記載事項は、上記「第２　平成２４年２月７日の手続補正についての補正却下の決定　［理由］　２　独立特許要件について　（２）　引用例の記載事項」に記載したとおりであり、引用発明は、上記「第２　平成２４年２月７日の手続補正についての補正却下の決定　［理由］　２　独立特許要件について　（３）　引用発明の認定」において認定したとおりである。
 　 
３　対比・判断
　本願発明と引用発明とを対比する。
ア　引用発明の「穴」は、本願発明の「凹部」に相当し、同様に、
　「基板の上面」は、「主面」に、
　「基板」は、「基板」に、
　「基板の上面に設けた穴の底面に配置されている、複数の面発光レーザが２次元アレイ状に形成されている面発光レーザアレイ」は、「凹部の底面上に設けられ、面発光及び／または受光を行わせる光半導体素子」に、
　「プリズム」は、「光路変換体」に、
　「面発光レーザアレイに対向する面」は、「本体の外側からの光を入射させる光入射面」に、
　「『基板に対して垂直に出射された面発光レーザアレイからのレーザ光を反射して、前記基板に対して平行に配置された光ファイバアレイフェルールの光ファイバの芯線に結合させる、アルミなどの金属が蒸着された面であ』る『４５度ミラー』」は、「光入射面から入射した光を本体の内側で反射させる傾斜面」に、
　「光ファイバの芯線に対向する面」は、「傾斜面で反射した光を本体の外側へ出射させるための光出射面」に、
　「『光ファイバの芯線に対向する面及び面発光レーザアレイに対向する面のそれぞれに設けられ、ある程度の拡がり角を持ったレーザ光を、光ファイバの芯線のコアに効率よく結合させ』る『レンズ』」は、「『光入射面及び光出射面のそれぞれに』『形成し』た『集光用のレンズ部』」に、
　「光結合モジュール」は、「光路変換体の実装構造」に、それぞれ、相当する。
　
イ　引用発明の「プリズム」の「レンズ」及び「４５度ミラー」が設けられた面は、本願発明の「光路変換体」の「透光性を有し柱状を成す本体の側面」に相当する。
　
ウ　引用発明において、「プリズム」が、「穴を覆い隠すように基板の上に固着されている」構成は、本願発明において、「光路変換体」が、「光半導体素子および凹部を覆うように基板の主面上に実装し、光半導体素子と光接続する」構成に相当する。
　
　上記アないしウによれば、本願発明と引用発明とは、以下の＜一致点＞で一致し、相違点は認められない。
＜一致点＞ 
「凹部が設けられた主面を有する基板と、
　前記凹部の底面上に設けられ、面発光及び／または受光を行わせる光半導体素子と、
　透光性を有し柱状を成す本体の側面に、前記本体の外側からの光を入射させる光入射面と、該光入射面から入射した光を前記本体の内側で反射させる傾斜面と、該傾斜面で反射した光を前記本体の外側へ出射させるための光出射面とを形成するとともに、前記光入射面及び前記光出射面のそれぞれに集光用のレンズ部を形成し、前記光半導体素子および前記凹部を覆うように前記基板の前記主面上に実装し、前記光半導体素子と光接続する光路変換体と、
　を具備する光路変換体の実装構造。」
　
　よって、本願発明は、引用例に記載された発明である。
　
４　むすび 
　以上のとおり、本願発明は、引用例に記載された発明であるから、特許法第２９条第１項第３号に該当し、特許を受けることができない。 
　よって、結論のとおり審決する。